(57)【要約】【課題】遠隔見守りシステムにおいて、留守宅の状態を画像情報で知って侵入者発生などの緊急事態に対する最優先の警報発声コマンドを即時実行できるとともに、ユーザからの要求コマンドを欠落なく処理できるものとする。【解決手段】遠隔見守りシステム１は、撮影した宅内の画像をインターネット７を介して送信する宅内装置２と、インターネット７を介して宅内装置２から画像を受信し、その画像をインターネット７を介してユーザ端末３に送信するサーバ装置４とを備える。サーバ装置４は優先順位と受取時刻の順に処理するためユーザ端末３からのコマンドを蓄えるジョブキュー４０を備える。宅内装置２は、サーバ装置４から送信される制御用のコマンドを受信して実行する。コマンドは、予め優先順位が設定されており、最優先コマンドとして順位づけられる警報発声コマンドは、キャンセルコマンドと連携して用いられる。【選択図】図１
2006041748.tif 000002
【特許請求の範囲】
【請求項１】
カメラを用いて撮影した宅内の画像をインターネットを介して送信する宅内装置と、インターネットに接続されインターネットを介して前記宅内装置から画像を受信するとともに、その画像をインターネットを介してブラウザ機能付きユーザ端末に送信するサーバ装置と、を備えた遠隔見守りシステムにおいて、
前記宅内装置は、前記サーバ装置から送信されるカメラ撮影動作、警報発声動作その他の動作を含む制御用のコマンドを受信してそのコマンドを実行し、
前記コマンドは、予め優先順位が設定されており、最優先コマンドとして順位づけられる警報発声コマンドは、キャンセルコマンドと連携して用いられ、
前記サーバ装置は、コマンドを優先順位と受取時刻の順に順次処理するためコマンドを蓄えるジョブキューを備えており、
前記ジョブキューは、前記宅内装置に対応して設けられ、ユーザが前記ユーザ端末のブラウザ画面を操作して表示されたコマンドの中から選択して送信するコマンドを拒否することなく受け取って当該コマンドを一時的に蓄え、
前記サーバ装置は、前記警報発声コマンドを前記ユーザ端末から受信すると、前記宅内装置がインターネットに常時接続されている場合は直ちに、また、前記宅内装置がインターネットにダイヤルアップ接続される装置の場合はユーザによる前記ユーザ端末の操作を介して当該宅内装置がインターネットにダイヤルアップ接続した後に、当該宅内装置に警報発声コマンドを送信し、通信障害などの原因によって実行されなかった警報発声コマンドを一定時間経過後に期限切れコマンドとして前記ジョブキューからクリアし、
前記宅内装置は、前記警報発声コマンドを前記サーバ装置から受信すると、警報発声コマンド以外に当該宅内装置による現在実行中のコマンドがある場合には当該実行中のコマンドを即時にキャンセルしてキャンセル完了通知を前記サーバ装置に送信後に、また、現在実行中のコマンドがない場合にはキャンセルコマンドを実行することなく直ちに、前記警報発声コマンドを実行することを特徴とする遠隔見守りシステム。
【請求項２】
カメラを用いて撮影した宅内の画像をインターネットを介して送信する宅内装置と、インターネットに接続されインターネットを介して前記宅内装置から画像を受信するとともに、その画像をインターネットを介してユーザ端末に送信するサーバ装置と、を備えた遠隔見守りシステムにおいて、
前記サーバ装置は、前記ユーザ端末から送信されるコマンドを受け取って当該コマンドを一時的に蓄えるジョブキューを備えており、前記ジョブキュー内のコマンドを所定の優先順位と受取時刻の順に順次処理し、最優先コマンドを前記ユーザ端末から受信すると、直ちに前記宅内装置に当該最優先コマンドを送信し、
前記宅内装置は、前記サーバ装置から送信されるカメラ撮影動作その他の動作を含む制御用のコマンドを受信してそのコマンドを実行し、前記最優先コマンドを受信したとき最優先コマンド以外の実行中のコマンドがある場合には当該実行中のコマンドを即時にキャンセルした後に、また、現在実行中のコマンドがない場合には直ちに、前記最優先コマンドを実行することを特徴とする遠隔見守りシステム。
【請求項３】
前記最優先コマンドが警報発声コマンドであることを特徴とする請求項２に記載の遠隔見守りシステム。
【発明の詳細な説明】
【技術分野】
【０００１】
本発明は、インターネットを利用した宅内の遠隔見守りシステムに関する。
【背景技術】
【０００２】
従来、遠隔地から所定の監視領域における異常発生を監視する技術の開発が行われており、家庭内の状況（画像データ）をインターネットや公衆回線を介して携帯端末に送信するホームセキュリティシステムや（例えば、特許文献１参照）、センサや撮像部からの出力信号とアラーム基準に基づいてアラーム信号を通知する先を柔軟に変更できるようにしたモニタリング方法が知られている（例えば、特許文献２参照）。また、異常発生信号の重要度を判定する判定処理部を備え、重要度の高い異常発生信号に迅速に対応するようにした遠隔監視装置が知られている（例えば、特許文献３参照）。
【０００３】
これらの特許文献１乃至特許文献３に開示されたものは、異常事態に対処する方法として、監視領域以外のいずれかの報知先に如何に通知するかという点に主眼がおかれており、宅内を遠隔から見守る方法として必ずしも適切とはいえない。すなわち、宅内の異常事態を遠隔から判断して、遠隔から宅内において警報を発することが有効な場合が多々ある。例えば、宅内の異常を画像で判断して、宅内にいる老人や子供に注意を促したり、侵入者に対して警告を発する場合である。
【０００４】
一方、異常事態への対処の主眼を現場においたものとして、警備会社を介さずに、自ら強盗や泥棒に適切に対処することができるセキュリティシステムや（例えば、特許文献４参照）、遠隔地において画像データにより確認した後に、不法侵入者を威嚇する警報音や音声を出力するシステムが知られている（例えば、特許文献５参照）。
【特許文献１】特開２００２−１８３８６０号公報
【特許文献２】特開２００４−９６６９４号公報
【特許文献３】特開平１０−１４３７８５号公報
【特許文献４】特開２００３−３２３７７号公報
【特許文献５】特開２００２−１０３６９号公報
【発明の開示】
【発明が解決しようとする課題】
【０００５】
しかしながら、特許文献４や特許文献５に示されるような監視システムにおいては、警報音の音質に関するものや警報発声の是非の判断に関するものであり、警報発声の最優先処理事項としての処理に主眼がおかれていない。ところで、一般に、サーバコンピュータや携帯端末、及び通信回線を介して利用者が監視装置を遠隔から操作するシステムにおいて、ジョブ処理順序に関する従来技術には次の２通りがある。１つは、先行するジョブの実行中は、警報発声などの後続ジョブを受け付けない、すなわち、先行ジョブ優先・後続ジョブ拒否のものである。これは、利用者に対して時間待ちと再試行を強いることになり、通信費の負担増という問題を生じ、システムとしての利便性を欠くことになる。他の１つは、ジョブキューを備え、実行するジョブはジョブキューから時系列的に順次実行されるものである。これは、警報発声などの緊急性の高いジョブでも即時には実行されない。従って、利用者の緊急要望に応じられないという問題を生じ、生命財産の危険回避というセイフティシステムのもっとも重要な役割な達成できなくなる。
【０００６】
本発明は、上記課題を解消するものであって、留守宅の状態を画像情報で知ることができ、侵入者発生などの緊急事態に対し最優先の警報発声コマンドを即時実行できるとともに、ユーザからの要求コマンドを欠落なく処理できる遠隔見守りシステムを提供することを目的とする。
【課題を解決するための手段】
【０００７】
上記課題を達成するために、請求項１の発明は、カメラを用いて撮影した宅内の画像をインターネットを介して送信する宅内装置と、インターネットに接続されインターネットを介して前記宅内装置から画像を受信するとともに、その画像をインターネットを介してブラウザ機能付きユーザ端末に送信するサーバ装置と、を備えた遠隔見守りシステムにおいて、前記宅内装置は、前記サーバ装置から送信されるカメラ撮影動作、警報発声動作その他の動作を含む制御用のコマンドを受信してそのコマンドを実行し、前記コマンドは、予め優先順位が設定されており、最優先コマンドとして順位づけられる警報発声コマンドは、キャンセルコマンドと連携して用いられ、前記サーバ装置は、コマンドを優先順位と受取時刻の順に順次処理するためコマンドを蓄えるジョブキューを備えており、前記ジョブキューは、前記宅内装置に対応して設けられ、ユーザが前記ユーザ端末のブラウザ画面を操作して表示されたコマンドの中から選択して送信するコマンドを拒否することなく受け取って当該コマンドを一時的に蓄え、前記サーバ装置は、前記警報発声コマンドを前記ユーザ端末から受信すると、前記宅内装置がインターネットに常時接続されている場合は直ちに、また、前記宅内装置がインターネットにダイヤルアップ接続される装置の場合はユーザによる前記ユーザ端末の操作を介して当該宅内装置がインターネットにダイヤルアップ接続した後に、当該宅内装置に警報発声コマンドを送信し、通信障害などの原因によって実行されなかった警報発声コマンドを一定時間経過後に期限切れコマンドとして前記ジョブキューからクリアし、前記宅内装置は、前記警報発声コマンドを前記サーバ装置から受信すると、警報発声コマンド以外に当該宅内装置による現在実行中のコマンドがある場合には当該実行中のコマンドを即時にキャンセルしてキャンセル完了通知を前記サーバ装置に送信後に、また、現在実行中のコマンドがない場合にはキャンセルコマンドを実行することなく直ちに、前記警報発声コマンドを実行するものである。
【０００８】
請求項２の発明は、カメラを用いて撮影した宅内の画像をインターネットを介して送信する宅内装置と、インターネットに接続されインターネットを介して前記宅内装置から画像を受信するとともに、その画像をインターネットを介してユーザ端末に送信するサーバ装置と、を備えた遠隔見守りシステムにおいて、前記サーバ装置は、前記ユーザ端末から送信されるコマンドを受け取って当該コマンドを一時的に蓄えるジョブキューを備えており、前記ジョブキュー内のコマンドを所定の優先順位と受取時刻の順に順次処理し、最優先コマンドを前記ユーザ端末から受信すると、直ちに前記宅内装置に当該最優先コマンドを送信し、前記宅内装置は、前記サーバ装置から送信されるカメラ撮影動作その他の動作を含む制御用のコマンドを受信してそのコマンドを実行し、前記最優先コマンドを受信したとき最優先コマンド以外の実行中のコマンドがある場合には当該実行中のコマンドを即時にキャンセルした後に、また、現在実行中のコマンドがない場合には直ちに、前記最優先コマンドを実行するものである。
【０００９】
請求項３の発明は、請求項２に記載の遠隔見守りシステムにおいて、前記最優先コマンドが警報発声コマンドである。
【発明の効果】
【００１０】
請求項１の発明によれば、通常のシステムの運用状態において、留守宅の状態を画像情報で知ることが可能であり、また、サーバ装置が、コマンドを優先順位と受取時刻の順に順次処理するためコマンドを蓄えるジョブキュー（優先順位のあるジョブキュー）を備えており、予め優先順位が設定された宅内装置制御コマンドの中でも最緊急の「侵入者を威嚇するための警報発声コマンド」が最優先コマンドとして順位づけられてキャンセルコマンドと連携して用いられ、他のコマンドの処理に優先して実行できるので、遠隔地にいるユーザにより異常事態に対する緊急の対応ができる。また、ジョブキューを備えているので、ユーザからの全ての要求コマンドをシステムが拒否することなく受理し、警報発声コマンドの処理後、先行受理していた他の全てのコマンドを欠落なく順次実行できる。
【００１１】
請求項２の発明によれば、サーバ装置が、ユーザ端末から送信されるコマンドを一時的に蓄えるジョブキューを備えて、ジョブキュー内のコマンドを所定の優先順位と受取時刻の順に順次処理し、最優先コマンドを前記ユーザ端末から受信すると、直ちに宅内装置に最優先コマンドを送信して、宅内装置にキャンセルコマンドと組み合わせて最優先コマンド実行させるので、最優先コマンドによる緊急処理が可能となる。また、未処理となったコマンドはジョブキューに残っており、最優先コマンドの処理後に欠落なくこれを順次実行できる。
【００１２】
請求項３の発明によれば、警報を発声するので高いセキュリティが得られる。
【発明を実施するための最良の形態】
【００１３】
以下、本発明の一実施形態に係る遠隔見守りシステムについて、図面を参照して説明する。図１は遠隔見守りシステム１の全体構成を示す。この遠隔見守りシステム１は、ユーザ宅内の状況を宅外から見守るために宅内の画像を宅外から確認可能とするシステムである。ユーザは、ユーザ宅内に設置された宅内装置２を用いて宅内撮影や警報発声等の処理を遠隔地から行うことができる。
【００１４】
遠隔見守りシステム１は、カメラ２１を用いて撮影した宅内の画像をインターネット７を介して送信する宅内装置２と、インターネット７に接続されインターネット７を介して宅内装置２から画像を受信するとともに、その画像をインターネット７を介してブラウザ機能付きのユーザ端末３に送信するサーバ装置４と、を備えている。遠隔見守りシステム１は、実運用では多数のユーザの多数の宅内装置２を含み（図示では３ユーザ分を示している）、各ユーザはそれぞれに帰属する各宅内装置２から画像を得ることができる。宅内装置２、ユーザ端末３、及びサーバ装置４は、それぞれＩＳＰ（インターネットサービスプロバイダ）６を介してインターネット７に接続される。
【００１５】
宅内装置２は、カメラ２１の他に警報発声装置２２や図示しないセンサ等を備えており、一般の家電製品と同様にユーザによって宅内の適宜の位置、例えば子供や老人、ペット等が居る部屋に設置され、サーバ装置４から送信されるカメラ撮影動作、警報発声動作その他の動作を含む制御用のコマンドを受信してそのコマンドを実行する。これらのコマンドは、予め優先順位が設定されており、最優先コマンドとして順位づけられる警報発声コマンドは、キャンセルコマンドと連携して用いられる。各ユーザの宅内装置２はルータＲＴを介して複数設置が可能である。また、宅内装置２は、インターネット７に常時接続されるものの他に、電話回線を介してインターネット７にダイヤルアップ接続するものも用いられる。
【００１６】
ユーザ端末３は、遠隔地からの画像を閲覧するための機能を有していればよく、携帯電話や携帯端末（ＰＤＡ）の他、パソコン３１なども用いられる。宅内から遠隔地の一人住まい親族を見守る場合などは、ユーザ端末３として携帯性の必要はない。また、遠隔地の遠隔とは、単に距離が遠いかどうかというだけではなく、接近に対する困難さを示すものである。
【００１７】
サーバ装置４は、宅内装置２から受信した宅内情報（画像等）をインターネット７及び携帯電話回線８又は電話回線５を介して対応するユーザ端末３に通知し、ユーザ端末３からの要求に応じて画像をユーザ端末３に送信する機能を持つ。サーバ装置４は、ユーザ端末３において設定された遠隔操作コマンドを携帯電話回線８又は電話回線５及びインターネット７を介して受信して、その遠隔操作コマンドをインターネット７及び電話回線５を介して宅内装置２に転送し、また、宅内装置２において撮像された画像を電話回線５及びインターネット７を介して受信して、その画像をインターネット７及び携帯電話回線８又は電話回線５を介して対応するユーザ端末３に転送する。
【００１８】
サーバ装置４は、各宅内装置２とこれに帰属する各ユーザ端末３に関する情報をそれぞれの帰属別に管理及び制御する。サーバ装置４は、宅内装置２を制御するコマンドを優先順位と受取時刻の順に順次処理するため、受信したコマンドを蓄えるジョブキュー４０を備えている。次に、ジョブキューについて説明する。
【００１９】
図２は、ジョブキュー４０の概念を示し、図３は、最優先ジョブ４４の処理を概念的に示す。ジョブキュー４０は、各宅内装置２に対応してそれぞれ設けられ、ユーザがユーザ端末３のブラウザ画面を操作して画面に表示されたコマンドの中から選択して送信するコマンドをそれぞれ拒否することなく受け取ってそのコマンドをジョブ４１として一時的に蓄える。これらのジョブ４１は、図２（ａ）に示すように、通常、受取時刻の順に順次処理される。各ジョブ４１は、図２（ｂ）に示すように、コマンドを送信したユーザ端末３及び対象宅内装置２を、他のユーザ端末３や宅内装置２と識別するための識別番号ＩＤ、コマンドを受信した年月日ＤＴ、ジョブ管理のために付加したジョブ番号ＩＮ、制御内容を識別するコマンド番号ＣＮ、及びコマンドの実行に関する優先順位ＰＲなどのデータから構成されている。
【００２０】
ジョブキュー４０に蓄えられたジョブ４１よりも高い優先順位のジョブ、例えば、最優先ジョブ４４とされる警報発声コマンドに関するジョブは、図３に示すように、他のジョブ４１の処理順番を飛び越して処理される。次に、ユーザが留守宅の状態を画像情報で閲覧した結果、侵入者発生などの異常事態を発見して最優先の警報発声コマンドを発動する場合の処理について説明する。宅内装置２がインターネット７に常時接続の場合（図４，図５）と、ダイヤルアップ接続の場合（図６、図７）とに分けて説明する。
【００２１】
図４は、宅内装置２がインターネット７に常時接続の場合の、ユーザ端末３におけるコマンド発行の様子を示し、図５は、この場合の警報発声コマンド発動時の遠隔見守りシステムにおける処理フローを示す。ここでは、ユーザ端末３として携帯電話を例示しているが、パソコン３１によっても同様の処理ができる。まず、ユーザがユーザ端末３を操作してサーバ装置４上の専用ホームページをユーザ端末３に表示する（Ｓ１１）。表示されたＩＤ／パスワードの入力指示３ａに従い、ＩＤ／パスワード３ｂを入力してログインすると、コマンド選択指示３ｃとコマンド一覧３ｄが表示される（Ｓ１２）。コマンド一覧３ｄから、警報発声マンドを選択決定すると（Ｓ１３）、警報発声コマンドが送信され、サーバ装置４のジョブキューに蓄積される（Ｓ２１）。
【００２２】
サーバ装置４は、直ちに警報発声コマンドを宅内装置２に送信する（Ｓ２２）。宅内装置２は、サーバ装置４から警報発声コマンドを取得し（Ｓ３１）、キャンセルコマンドを実行するとともに（Ｓ３２）、キャンセル完了通知をサーバ装置４へ送信する（Ｓ３３）。サーバ装置４がキャンセル完了通知を受信すると（Ｓ２３）、宅内装置２は、警報発声コマンドを実行し（Ｓ３４）、警報発声コマンド完了通知をサーバ装置４へ送信する（Ｓ３５）。サーバ装置４が警報発声コマンド完了通知を受信して（Ｓ２４）、一連の警報発声処理が終了する。
【００２３】
上記Ｓ３１において宅内装置２が警報発声コマンドを取得したとき、実行中のコマンドがなければ、直ちに警報発声コマンドを実行する（Ｓ３４）。また、サーバ装置４は、警報発声コマンド完了通知を受信後に（Ｓ２４）、ジョブキュー４０内に未処理のジョブが有れば、これを宅内装置に送信し、宅内装置２は順次これを実行する。従って、遠隔見守りシステム１において、警報発声コマンドを即時実行できるとともに、警報発声の処理後、先行していた他の全てのコマンドを欠落なく処理できる。
【００２４】
図６（ａ）（ｂ）は、宅内装置２がインターネット７にダイヤルアップ接続する場合の、ユーザ端末３におけるコマンド発行の様子を示し、図７は、この場合の警報発声コマンド発動時の遠隔見守りシステムにおける処理フローを示す。
【００２５】
まず、ユーザがユーザ端末３を操作してサーバ装置４上の専用ホームページをユーザ端末３に表示する（＃１１）。表示されたＩＤ／パスワードの入力指示３ａに従い、ＩＤ／パスワード３ｂを入力してログインすると、コマンド選択指示３ｃとコマンド一覧３ｄが表示される（＃１２）。この状態のユーザ端末３が、図６（ａ）に示されている。
【００２６】
次に、コマンド一覧３ｄから、警報発声コマンドを選択決定すると（＃１３）、警報発声コマンドが送信され、サーバ装置４のジョブキューに蓄積される（＃２１）。警報発声コマンドの送信が終わると、オートダイヤルメニュー３ｅが表示される（＃１４）。オートダイヤルメニュー３ｅには宅内装置２のダイヤルアップ接続可能な電話回線の電話番号が埋め込まれており、ユーザがオートダイヤルメニュー３ｅを選択すると（＃１５）、宅内装置２の呼出が始まる。そこで、ユーザは、所定回数以下の呼び出し（例えば１コール）の後、通信を切断する（＃１６）。
【００２７】
宅内装置２は、上記＃１６においてユーザ端末によりなされたダイヤルアップ接続可能な電話回線の呼出を確認した後（＃３１）、この呼出をトリガとして、ＩＳＰにダイヤルアップ接続し（＃３２）、さらにサーバ装置４に接続される（＃３３）。サーバ装置４は、ダイヤルアップ接続してきた宅内装置２を認証し（＃２２）、直ちに警報発声コマンド、及びジョブキューに蓄積された他の全てのコマンドを送信する（＃２３）。
【００２８】
その後、上述の常時接続の場合と同様に、宅内装置２は、キャンセルコマンドを実行するとともに（＃３５）、キャンセル完了通知をサーバ装置４へ送信する（＃３６）。サーバ装置４がキャンセル完了通知を受信すると（＃２４）、宅内装置２は、警報発声コマンドを実行し（＃３７）、警報発声コマンド完了通知をサーバ装置４へ送信するとともに通信を切断する（＃３８）。サーバ装置４が警報発声コマンド完了通知を受信して（＃２５）、一連の警報発声処理が終了する。
【００２９】
上記＃３４において宅内装置２が警報発声コマンドを取得したとき、実行中のコマンドがなければ、直ちに警報発声コマンドを実行する（＃３７）。宅内装置２は、警報発声コマンドの実行後、他の全てのコマンドを欠落なく処理する。
【００３０】
上述のように、サーバ装置４は、上記警報発声コマンドをユーザ端末３から受信すると、そのユーザ端末３に帰属する宅内装置２がインターネット７に常時接続されている場合は直ちに、また、宅内装置２がインターネット７にダイヤルアップ接続される装置の場合はユーザによるユーザ端末３の操作を介して宅内装置２がインターネット７にダイヤルアップ接続した後に、宅内装置２に警報発声コマンドを送信する。
【００３１】
宅内装置２は、警報発声コマンドをサーバ装置４から受信すると、警報発声コマンド以外に宅内装置２による現在実行中のコマンドがある場合には実行中のコマンドを即時にキャンセルしてキャンセル完了通知をサーバ装置４に送信後に、また、現在実行中のコマンドがない場合にはキャンセルコマンドを実行することなく直ちに、警報発声コマンドを実行する。
【００３２】
以上まとめると、サーバ装置４は、宅内装置２識別番号別のジョブキューを備え、全ての宅内装置２へのコマンドは、一旦、ジョブキューに蓄積されて後、先行ジョブの実行完了信号の受信後に後続ジョブが実行される。サーバ装置４のジョブキューは常にユーザからのコマンド実行要求の受付状態であり、ユーザはコマンドの実行要求をサーバ装置より拒否されることがなく、従って、ユーザが再試行する必要がない。
【００３３】
また、警報発声は最優先コマンドとして順位づけられ、他のコマンドも第２順位以下の優先順位がそれぞれ設定されている。それらのコマンドの実行要求がなされた場合、ジョブキュー内では優先順位順かつ要求時刻順に順次処理される。警報発声コマンドは、キャンセルと警報発声コマンドとの複合コマンドであり、現在実行中の警報発声以外のジョブに対して即時にキャンセルコマンドを実行し、そのキャンセル完了信号を受信した後、他のコマンドを介在させることなく続けて警報発声コマンドを実行する。
【００３４】
また、何らかの通信障害などによって、即時実行されなかった警報発声などのジョブは、一定時間経過後、期限切れジョブとして自動的にジョブキューからクリアされる。これらの処理は、常時接続及びダイヤルアップ接続環境においても実現できる。なお、本発明は、上記構成に限られることなく種々の変形が可能である。
【図面の簡単な説明】
【００３５】
【図１】本発明の一実施形態に係る遠隔見守りシステムの概略構成図。
【図２】（ａ）は同上システムのサーバ装置におけるジョブキューの概念図、（ｂ）はジョブキュー内のジョブ構成図。
【図３】同上ジョブキューにおける最優先ジョブの処理を説明する概念図。
【図４】同上システムにおける常時接続の場合の宅内装置を対象とするユーザ端末の操作説明図。
【図５】同上システムにおける常時接続の場合の動作フロー図。
【図６】（ａ）（ｂ）は同上システムにおけるダイヤルアップ接続の場合の宅内装置を対象とするユーザ端末の操作説明図。
【図７】同上システムにおけるダイヤルアップ接続の場合の動作フロー図。
【符号の説明】
【００３６】
１    遠隔見守りシステム
２    宅内装置
３    ユーザ端末
４    サーバ装置
７    インターネット
２１    カメラ
４０    ジョブキュー
【図１】
2006041748.tif 000003
【図２】
2006041748.tif 000004
【図３】
2006041748.tif 000005
【図４】
2006041748.tif 000006
【図５】
2006041748.tif 000007
【図６】
2006041748.tif 000008
【図７】
2006041748.tif 000009